(57)【要約】【課題】一つのアンテナでカード状の非接触記録媒体（非接触券）もコイン状の非接触記録媒体（トークン）も処理できるようにする。【解決手段】カード状の非接触記録媒体及びコイン状の非接触記録媒体を処理することのできる非接触記録媒体処理装置において、前記コイン状の非接触記録媒体のスリット状の投入口は、ループ状のアンテナの外側の近傍で、かつ、そのスリット状の投入口の長軸方向がそのループ状のアンテナの中心位置と交差しないように所定の角度を有するように設けられている。【選択図】　　　図１
2004102778.tif 000002
【特許請求の範囲】
【請求項１】
カード状の非接触記録媒体及びコイン状の非接触記録媒体を処理することのできる非接触記録媒体処理装置において、
前記コイン状の非接触記録媒体のスリット状の投入口は、ループ状のアンテナの外側の近傍で、かつ、そのスリット状の投入口の長軸方向がそのループ状のアンテナの中心位置と交差しないように所定の角度を有するように設けられていることを特徴とする非接触記録媒体処理装置。
【請求項２】
カード状の非接触記録媒体及びコイン状の非接触記録媒体を処理することのできる非接触記録媒体処理装置において、
前記コイン状の非接触記録媒体のスリット状の投入口は、ループ状のアンテナの外側の近傍で、かつ、そのループ状のアンテナの一部を迂回させた位置に設けられていることを特徴とする非接触記録媒体処理装置。
【請求項３】
カード状の非接触記録媒体及びコイン状の非接触記録媒体を処理することのできる非接触記録媒体処理装置において、
前記コイン状の非接触記録媒体のスリット状の投入口は、ループ状のアンテナの外側の近傍で、かつ、そのループ状のアンテナに設けられたフェライト板の突出した部分の近傍に設けられていることを特徴とする非接触記録媒体処理装置。
【発明の詳細な説明】
【０００１】
【発明の属する技術分野】
本発明は、非接触記録媒体処理装置に関し、特に、カード状の非接触記録媒体及びコイン状の非接触記録媒体を効率よく処理できるようにしたものに関する。
【０００２】
【従来の技術】
本出願人は、先に、特願２００１−３０８３７８号、同３１２７７６号及び同３２９０９３号において、カード状の非接触記録媒体（非接触式情報記録媒体）である非接触券及びコイン状の非接触記録媒体であるトークンの両方を処理することのできる、本発明の非接触記録媒体処理装置に相当する非接触式自動改札機を提案している。
【０００３】
この提案に係る非接触式自動改札機においては、普通乗車券のような短期使用券をトークンで実現できるので、磁気券を必要としない改札システムを構築することが可能となり、また、そのトークンは、出場の際に回収して再使用されるので、省資源化を図ることが可能となる特長がある。
【０００４】
上記トークンは、トークン発行機から発行されたトークンを非接触式自動改札機の筐体上面に設けられているアンテナに非接触券と同様にかざして、又は軽くタッチして入場することができる。そして、出場の際は、非接触式自動改札機の筐体の上面に設けられているスリット状に開口したトークンの投入口に投入して出場することができる。このトークンの投入口には、トークンと通信を行うためのアンテナが設けられている。
【０００５】
【発明が解決しようとする課題】
しかしながら、上記従来の非接触券及びトークンの両方を処理することができる非接触式自動改札機においては、非接触券用のアンテナとトークン用のアンテナを必要として構造が複雑化する欠点があるとともに、コスト高になる欠点があった。このような欠点は、上述の非接触式自動改札機に限らず、非接触券及びトークンの両方を処理する必要のある機器、例えば自動精算機においても同様である。
【０００６】
そこで、本発明は、上記欠点を解決するためになされたものであって、その目的は、カード状の非接触記録媒体及びコイン状の非接触記録媒体の両方を一つのアンテナで処理することのできる非接触記録媒体処理装置を提供することにある。
【０００７】
【課題を解決するための手段】
本発明に係る非接触記録媒体処理装置は、上記目的を達成するために、請求項１に記載の発明は、カード状の非接触記録媒体及びコイン状の非接触記録媒体を処理することのできる非接触記録媒体処理装置において、前記コイン状の非接触記録媒体のスリット状の投入口は、ループ状のアンテナの外側の近傍で、かつ、そのスリット状の投入口の長軸方向がそのループ状のアンテナの中心位置と交差しないように所定の角度を有するように設けられていることを特徴としている。
【０００８】
本発明に係る非接触記録媒体処理装置は、上記目的を達成するために、請求項２に記載の発明は、カード状の非接触記録媒体及びコイン状の非接触記録媒体を処理することのできる非接触記録媒体処理装置において、前記コイン状の非接触記録媒体のスリット状の投入口は、ループ状のアンテナの外側の近傍で、かつ、そのループ状のアンテナの一部を迂回させた位置に設けられていることを特徴としている。
【０００９】
本発明に係る非接触記録媒体処理装置は、上記目的を達成するために、請求項３に記載の発明は、カード状の非接触記録媒体及びコイン状の非接触記録媒体を処理することのできる非接触記録媒体処理装置において、前記コイン状の非接触記録媒体のスリット状の投入口は、ループ状のアンテナの外側の近傍で、かつ、そのループ状のアンテナに設けられたフェライト板の突出した部分の近傍に設けられていることを特徴としている。
【００１０】
【発明の実施の形態】
以下、本発明の実施の形態を図面に基づいて説明する。図１（ａ）は、本発明に係る非接触記録媒体処理装置を非接触式自動改札機としたときのその筐体Ｈの一部の平面図である。
【００１１】
図１（ａ）中、Ａは、改札通路Ｐの入口側の筐体Ｈの上面に設けられたループ状のアンテナであって、カバーＡ′内に設けられている。このアンテナＡは、本発明のカード状の非接触記録媒体に相当する図示しない非接触券及び本発明のコイン状の非接触記録媒体に相当する図示しないトークンと通信を行うために設けられている。
【００１２】
図１（ａ）中、１は、トークンの投入口であって、カバーＡ′の近傍（図示の例では、カバーＡ′よりも改札通路Ｐを進んだ側）の筐体Ｈの上面に設けられている。この投入口１は、利用者（旅客）がトークンを用いて非接触式自動改札機を介して出場する際にそのトークンを投入するために設けられている。非接触式自動改札機に投入されて回収されたトークンは、再度、図示しないトークン発行機にセットされて再使用される。
【００１３】
図１（ｂ）は、アンテナＡと投入口１との配置関係を示したものである。この図から明らかなように、トークンの投入口１のスリット状の開口の長軸方向（図１（ｂ）の一点鎖線参照）は、ループ状のアンテナＡの中心位置Ｏと交差しないように、所定の角度を有して設けられている。具体的には、図１（ａ）において、投入口１の長軸方向は、改札通路Ｐの通過方向に対して１０°以上の角度（図１（ａ）においては、４５°）を有して設けられている。
【００１４】
上述のような角度を有して投入口１が設けられると、その投入口１に投入されるトークン内に設けられる通信用のコイル（アンテナ）（図示しないが、このコイルは、コイン状のトークンの円周に沿って設けられている。）にアンテナＡの磁界（図１（ｂ）の鎖線で示されるリング参照）が鎖交することができる。したがって、トークンは、その鎖交する磁界（磁束）によって駆動電力を生成し、非接触式自動改札機と間で所定のデータ授受を行うことが可能となる。
【００１５】
このデータ授受に基づく所定の出場処理の演算処理の結果、出場を許可できると判定されたときは、図示しないドアが開かれて（ノーマルオープン型のときはそのまま）改札通路Ｐの通過が許可される。また、その所定の出場処理の演算処理の結果、出場を許可できないときは、ドアが閉じられて改札通路Ｐの通過が阻止されるとともに、投入口１に投入されたトークンは、図示しない返却口に返却され、さらに、図示しない表示画面及びスピーカを介して精算案内等の所定の案内が行われる。
【００１６】
図２（ａ）は、投入口１の角度をより大きくした例である。すなわち、この投入口１の角度は、改札通路Ｐに対して９０°である。なお、上記図１（ａ），（ｂ）に示されるように、角度を４５°程度とすると、改札通路Ｐの入口側に位置する利用者がトークンを投入口１に投入しやすいという利益がある。
【００１７】
図２（ｂ）は、アンテナＡの一部を投入口１の一部と対向するように迂回させた例である。また、図２（ｃ）では、アンテナＡに、投入口１の一部に対向するように突出したフェライト板２を設けている。このように、アンテナを迂回させた場合、又は、突出したフェライト板２を設けた場合も、その迂回部分又は突出した部分の磁界（磁束）が投入口１に位置するトークンのコイル（アンテナ）と鎖交することができる。
【００１８】
なお、上述の例は、非接触記録媒体処理装置を非接触式自動改札機としたが、自動精算機等の他の処理装置であってもよい。
【００１９】
【発明の効果】
本発明の請求項１に記載の非接触記録媒体処理装置は、コイン状の非接触記録媒体のスリット状の投入口は、ループ状のアンテナの外側の近傍で、かつ、そのスリット状の投入口の長軸方向がそのループ状のアンテナの中心位置と交差しないように所定の角度を有するように設けられているので、一つのアンテナでカード状の非接触記録媒体及びコイン状の非接触記録媒体を処理することができる。
【００２０】
本発明の請求項２に記載の非接触記録媒体処理装置は、コイン状の非接触記録媒体のスリット状の投入口は、ループ状のアンテナの外側の近傍で、かつ、そのループ状のアンテナの一部を迂回させた位置に設けられているので、一つのアンテナでカード状の非接触記録媒体及びコイン状の非接触記録媒体を処理することができる。
【００２１】
本発明の請求項３に記載の非接触記録媒体処理装置は、コイン状の非接触記録媒体のスリット状の投入口は、ループ状のアンテナの外側の近傍で、かつ、そのループ状のアンテナに設けられたフェライト板の突出した部分の近傍に設けられているので、一つのアンテナでカード状の非接触記録媒体及びコイン状の非接触記録媒体を処理することができる。
【図面の簡単な説明】
【図１】（ａ）は、本発明の非接触記録媒体処理装置を非接触式自動改札機に適用したときのその筐体の一部の平面図、（ｂ）は、アンテナと本発明のコイン状の非接触記録媒体に相当するトークンの投入口との位置関係を示す説明図である。
【図２】（ａ）〜（ｃ）は、アンテナと投入口との位置関係を示す他の例のそれぞれの説明図である。
【符号の説明】
Ａ　アンテナ
Ａ′　カバー
１　投入口
Ｈ　筐体
Ｐ　改札通路
【図１】
2004102778.tif 000003
【図２】
2004102778.tif 000004